(57)【要約】【課題】表示媒体によって個別放送、区域のグループ放送或は共同放送を進行する表示媒体による即時同時放送の装置及びその方法を提供する。【解決手段】製作完成した番組の録画を少なくとも一つの制御センターのコンピューターに分類整理して入力し、並びに放送のプロセスを出力する少なくとも一つの放送センター１０を備える。少なくとも二つのディスプレー１２は通信ネットワークによって放送センター１０と接続し、視覚信号及び聴覚信号を受信し、それらの信号を放送センターに出力する視覚モジュール及び聴覚モジュールを有する知覚システムモジュール１８を備える。制御インタフェースは放送センター１０及びディスプレー１２と接続し、放送のプロセスによってディスプレー１０の個別放送及び共同放送を管理する。【選択図】    図１
2004194189.tif 000002
【特許請求の範囲】
【請求項１】
製作完成した番組の録画を少なくとも一つの制御センターのコンピューターに分類整理して入力し、並びに放送のプロセスを出力する少なくとも一つの放送センターと、
通信ネットワークによって放送センターと接続する少なくとも二つのディスプレーと、
放送センター及びディスプレーと接続し、放送のプロセスによってディスプレーの個別放送及び共同放送を管理する制御インタフェースと、
を備えることを特徴とする表示媒体による即時同時放送の装置。
【請求項２】
制御インタフェースは、電子ハードウェア及び少なくとも一つのソフトウェアを備えることを特徴とする請求項１に記載の表示媒体による即時同時放送の装置。
【請求項３】
通信ネットワークは、インターネット、ローカルエリアネットワーク及び無線ネットワークから構成されるグループ中の少なくとも一つであることを特徴とする請求項１に記載の表示媒体による即時同時放送の装置。
【請求項４】
ディスプレーは、発光ダイオードのディスプレー（ＬＥＤ）、液晶ディスプレー（ＬＣＤ）、プラズマデイスプレー（ＰＤＰ）、有機電場発光ディスプレー（ＯＥＬＤ）及び陰極管ディスプレー（ＣＲＴ）から構成されるグループ中の少なくとも一つであることを特徴とする請求項１に記載の表示媒体による即時同時放送の装置。
【請求項５】
ディスプレーは、それぞれ視覚信号及び聴覚信号を受信し、それらの信号を放送センターに出力する視覚モジュール及び聴覚モジュールを有する知覚システムモジュールを備えることを特徴とする請求項１に記載の表示媒体による即時同時放送の装置。
【請求項６】
視覚モジュールは、電荷結合素子（ＣＣＤ）又は相補型金属酸化膜半導体（ＣＭＯＳ）による影像感応器のいずれかの一つであり、聴覚モジュールはマイクであることを特徴とする請求項５に記載の表示媒体による即時同時放送の装置。
【請求項７】
ディスプレーは、メディアの多いファイルの放送を提供するものであって、その規格はＢＭＰ、ＧＩＦ、ＪＰＧ、ＡＶＩ、ＭＰＧ、ＭＰ３、ＷＡＶ及びＭＩＤから構成されるグループ中の少なくとも一つであることを特徴とする請求項１に記載の表示媒体による即時同時放送の装置。
【請求項８】
少なくとも一つの放送センター及び少なくとも二つのディスプレーを提供するステップと、
通信ネットワークを介して放送プロセスを送信し、放送センター及びディスプレーを管理することによってディスプレーによる個別放送或はグループ放送を管理するステップと、
を備える表示媒体による即時同時放送の方法。
【請求項９】
放送プロセスによってディスプレーの動作を制御するための制御インタフェースを備えることを特徴とする請求項８に記載の表示媒体による即時同時放送の方法。
【請求項１０】
制御インタフェースは、電子ハードウェア及び少なくとも一つのソフトウェアを備えることを特徴とする請求項８に記載の表示媒体による即時同時放送の方法。
【請求項１１】
通信ネットワークは、インターネット、ローカルエリアネットワーク及び無線ネットワークから構成されるグループ中の少なくとも一つであることを特徴とする請求項８に記載の表示媒体による即時同時放送の方法。
【請求項１２】
ディスプレーは、発光ダイオードのディスプレー（ＬＥＤ）、液晶ディスプレー（ＬＣＤ）、プラズマデイスプレー（ＰＤＰ）、有機電場発光ディスプレー（ＯＥＬＤ）及び陰極管ディスプレー（ＣＲＴ）から構成されるグループ中の少なくとも一つであることを特徴とする請求項８に記載の表示媒体による即時同時放送の方法。
【請求項１３】
ディスプレーは、それぞれ視覚信号及び聴覚信号を受信し、それらの信号を放送センターに出力する視覚モジュール及び聴覚モジュールを有する知覚システムモジュールを備えることを特徴とする請求項８に記載の表示媒体による即時同時放送の方法。
【請求項１４】
視覚モジュールは、電荷結合素子（ＣＣＤ）及び相補型金属酸化膜半導体（ＣＭＯＳ）による影像感応器のいずれかの一つであり、聴覚モジュールはマイクであることを特徴とする請求項１３に記載の表示媒体による即時同時放送の方法。
【発明の詳細な説明】
【０００１】
【発明の属する技術分野】
本発明は、表示媒体に関するものであり、特に、表示媒体による即時同時放送の装置及びその方法に関するものである。
【０００２】
【従来の技術】
平面型表示パネルは、大型画面及び大衆化した視覚放送などの特徴が集まっているものであるため、大衆情報やニュースを即時放送したり、商品情報を快速に宣伝したりすることは、十分に生き生きとする室外の広告媒体として広告による情報を全ての人に直接に素早く伝えることが可能である。そして、発光ダイオード（Light  Emitting  Diode、ＬＥＤ）による表示パネルは体積が微小化し、色彩が多く、明るさが高い特徴を有し、且つ寿命が長く、エネルギーを節約する経済的な面を有するため、電子広告の表示パネルとされることに非常にふさわしいのである。
【０００３】
しかし、ＬＥＤフルカラーによる表示パネルは、サイズが大きく、制作費が高いため、単独のシステムによる放送が殆どである。その場合、人件費がかかるだけでなく、広告のメリットが全くない。従って、本発明は、上述問題に対してハードウェアシステムの全体を変え、ハードウェアシステムによる制御及び有線或は無線通信システムによる運用を結合することによって、フルカラーダイナミックディスプレーによる即時同時放送ネットワークを構成し、ＬＥＤフルカラー画面を単画面放送による小区域のメディアからテレビのように多画面を同時放送するように変え、且つ区域のグループ放送或は多画面式個別放送に分けることが可能であるため、最も経済的な広告効果を達する。
【０００４】
【発明が解決しようとする課題】
本発明の主な目的は、表示媒体によって個別放送、区域のグループ放送或は共同放送を進行するものである表示媒体による即時同時放送の装置及びその方法を提供することにある。
本発明のもう一つの目的は、ディスプレーが人手の操作を必要なしに直ちに自動放送をする便利性に達するものである表示媒体による即時同時放送の装置及びその方法を提供することにある。
【０００５】
本発明の又もう一つの目的は、無線受信出力し、放送内容を即時制御するものである表示媒体による即時同時放送の装置及びその方法を提供することにある。
本発明の又もう一つの目的は、必要によって予め組み立てられた番組表を自動的に読み込み、並びに放送を行うものである表示媒体による即時同時放送の装置及びその方法を提供することにある。
【０００６】
【課題を解決するための手段】
本発明は、製作完成した番組の録画を制御センターのコンピューターに分類整理して入力し、並びに放送のプロセスを出力する少なくとも一つの放送センターと、放送センター及び少なくとも二つのディスプレーと接続する制御インタフェースとを備えることによって、制御インタフェースが通信ネットワークによって放送のプロセスを受信し、放送のプロセスにしたがってディスプレーによる個別放送、グループ放送及び共同同時放送の動作を管理するのである。
【０００７】
【発明の実施の形態】
本発明の一実施例は、インテリジェントダイナミックディスプレーによる即時同時放送ネットワークシステムであり、図１に示すように、表示媒体による即時同時放送の装置の構造を示すブロックであって、製作完成した番組の録画を制御センターのコンピューターに分類整理して入力し、並びに放送のプロセスを出力する放送センター１０及び通信ネットワークによって放送センター１０と接続する三つのディスプレー１２、ディスプレー１４及びディスプレー１６を備え、通信ネットワークはインターネット、ローカルエリアネットワーク或は無線ネットワークであってもよく、また、ディスプレーの仮設アナウンサーとされ、且つ電子ハードウェア及びソフトウェアを有する制御インタフェース（図に示せず）を備え、制御インタフェースが放送センター１０、ディスプレー１２、ディスプレー１４及びディスプレー１６と接続し、放送センター１０からの放送のプロセスに従ってディスプレー１２、ディスプレー１４及びディスプレー１６の個別放送及びグループ放送を管理し、放送管理上の要望にこたえ、且つ制御インタフェースがフリーズすると、自動的に再起動し、期限が切れたファイルを自動的に削除する機能を有するのである。
【０００８】
また、ディスプレー１２、ディスプレー１４及びディスプレー１６は発光ダイオードのディスプレー（light  Emitting  diode、ＬＥＤ）、液晶ディスプレー（Liquid  Crystal  Display、ＬＣＤ）、プラズマデイスプレー（Plasma  Display  Panel、ＰＤＰ）、有機電場発光ディスプレー（Organic  Electroluminescence  Display、ＯＥＬＤ）或は陰極管ディスプレー（Cathode  Ray  Tube、ＣＲＴ）であってもよく、且つディスプレー１２、ディスプレー１４及びディスプレー１６は知覚システムモジュール１８を有し、各知覚システムモジュール１８は視覚信号及び聴覚信号を受信し、それらの信号を放送センター１０に出力する視覚モジュール及び聴覚モジュールを有するものであって、視覚モジュールは通常電荷結合素子（Charge  Coupled  Device、ＣＣＤ）或は相補型金属酸化膜半導体（Complementary  Metal  Oxide  Semiconductor、ＣＭＯＳ）による影像感応器であり、聴覚モジュールは通常マイクである。
【０００９】
本実施例を使用する際に、放送のプロセスは、図２に示すように、膨大なシステムネットワークにソフトウェア及びハードウェアの設備を備え、主幹としての放送のプロセスが完備しているため、効果を達成する。図２に示すように、放送センター１０は、製作完成した番組の録画をコンピューターに分類整理して入力し、並びに予め作り立てた管理ソフトウェアに合わせディスプレー１２、ディスプレー１４及びディスプレー１６のディスプレーの仮設アナウンサーがデータを読み込み、毎日放送タイマーに従って運行することによって、全てのディスプレー１２（Ａ）、ディスプレー１４（Ｂ）、ディスプレー１６（Ｃ）及び仮設アナウンサーが放送センター１０の設定タイマーに従って起動した後、先ずプロセスＳ１０に示すように、放送センター１０は有線或は無線ネットワークを介してディスプレー１２、ディスプレー１４及びディスプレー１６の仮設アナウンサーにそれぞれの放送番組のスケジュール表を出力し、そしてプロセスＡ１、プロセスＢ１及びプロセスＣ１に示すように、仮設アナウンサーが各番組表を受け取って、番組表の番組の内容を確認する。即ちプロセスＡ２、プロセスＢ２及びプロセスＣ２である。そして、プロセスＡ２、プロセスＢ２及びプロセスＣ２に示すように、番組表の番組の内容がディスプレー１２、ディスプレー１４及びディスプレー１６のデータベースに保存された番組の内容である場合、スケジュール表の順番に従って編入し、ディスプレー１２、ディスプレー１４及びディスプレー１６のデータベースにまだ保存されていない番組の内容である場合、仮設アナウンサーは放送センター１０からデータを取り寄せ、その後スケジュール表に編入し、それぞれの異なるスケジュール表に従って番組を放送する。その際に、仮設アナウンサーは番組を放送しながら、番組を放送したメッセージ及びディスプレーの功能及び状況を送信し、放送センター１０が常に状況を表示することによって放送の品質を確保すると同時に、仮設アナウンサーは放送センターからの新しいスケジュール及び番組の内容を受け取って次の放送タイマーに使用する。続いてプロセスＡ４、プロセスＢ４及びプロセスＣ４に示すように、放送センター１０は必要によっていつでもディスプレー１２、ディスプレー１４及びディスプレー１６に重大なニュース或は情報を同時放送し、または、グループ放送することを指示する場合がある。また、プロセスＡ５に示すように、あるディスプレーが前の広場でライブを行うとしたら、ディスプレーが知覚システムモジュールを起動し、プロセスＡ６に示すように、知覚システムモジュールによってライブの実況を撮影した後、知覚システムモジュールが録画作成された音声及び画像の信号を放送センター１０に出力し、放送センター１０がライブの実況を外のディスプレーに中継する。即ちプロセスＡ７及びプロセスＢ５である。すると、一ヵ所のライブは全国に中継放送されるライブとなる。その際に実況を中継放送すると設定されていないディスプレーは、予め設定されたスケジュールに従って番組を放送する（プロセスＣ５に示すように）。最後、プロセスＡ８、プロセスＢ６及びプロセスＣ６に示すように、ディスプレー１２、ディスプレー１４及びディスプレー１６の仮設アナウンサーは最初設定に従って電源を切る動作を執行し、明日になったら、再び自動的に起動し、放送センター１０からの番組のスケジュール表に従って順番に放送する。
【００１０】
前述ディスプレーはメディアの多いファイルの放送を提供するものであって、その規格はＢＭＰ（Bitmap）、ＧＩＦ（Graphic  Interchange  Format）、ＪＰＧ（Joint  Photographic  Experts  Group）、ＡＶＩ（Audio  Video  Interleaved）、ＭＰＧ（Moving  Picture  Experts  Group  format  file）、ＭＰ３（Moving  Picture  Experts  Group  Layer  ３  Audio）、ＷＡＶ（Wave  Sound  file）及びＭＩＤ（Musical  Instrument  Digital  Interface）等である。
【００１１】
本発明による効果が伝統的なディスプレーより優れることを裏付けるために、本発明と伝統的なディスプレーとを下記の表１に比較し、ここではディスプレーはＬＥＤフルカラーによる看板を例とする。
【００１２】
【表１】
2004194189.tif 000003
【００１３】
表１に示すように、本発明はインテリジェントダイナミックディスプレーによる即時同時放送のシステムネットワークであって、放送センターが複数のディスプレーを同時に制御することによって各種類の番組を放送する形式に達するものであり、且つ本発明は光電技術、通信技術及びコンピューターによる技術を結合するため、番組を放送するプロセス及び方法の維持をしやすいだけでなく、広告業界に新しいメディアを提供するのである。
【図面の簡単な説明】
【図１】本発明の一実施例による表示媒体による即時同時放送の装置及びその方法を示すブロック図である。
【図２】本発明の一実施例による表示媒体による即時同時放送の装置及びその方法の作動プロセスを示すブロック図である。
【符号の説明】
１０    放送センター
１２    ディスプレー
１４    ディスプレー
１６    ディスプレー
１８    知覚システムモジュール
【図１】
2004194189.tif 000004
【図２】
2004194189.tif 000005